(57)【要約】  日焼け防止ディスプレイおよびディスペンサは、大気中の直射および散乱ＵＶ放射を測定し、肌の日焼けおよびまたは潜在的な損傷までの時間を警告する日焼け防止意識指標を計算および表示し、ユーザが手動または自動で適切なＳＰＦの日焼け止めを決定するのを助ける個人的な日焼け防止意識指標表示を提供し、一般に、またはユーザの個人的な日焼け防止意識指標表示と相関する個別のＳＰＦで日焼け止めを提供するように設計された堅牢な屋外装置である。【選択図】  図３
2021519420.tif 000002
【特許請求の範囲】
【請求項１】
人間の肌の太陽曝露リスクを監視および表示するための装置であって、
（ａ）人間の対象者の近傍の場所で瞬間太陽エネルギー密度［単位（ｍＷ／ｃｍ２）］を測定するための２つ以上の光感知検出器と、
（ｂ）前記太陽曝露リスクを計算するためのコンピュータシステムであって、
（ｉ）コンピュータプロセッサと、
（ｉｉ）コンピュータ可読記憶デバイスと、
（ｉｉｉ）コンピュータプログラムと
を備える、コンピュータシステムと、
（ｃ）１つ以上の表示モニタと、
（ｄ）前記光感知検出器を前記コンピュータシステムに接続する１つ以上のインターフェースと、
（ｅ）前記２つ以上の光感知検出器を接続する１つ以上の任意選択的なインターフェースと、
（ｆ）前記コンピュータシステムを前記表示モニタに接続するインターフェースと
を備え、前記瞬間太陽エネルギー密度に基づく、人間の肌の瞬間太陽曝露リスクを表示する、装置。
【請求項２】
前記光感知検出器のうちの少なくとも１つが、直射太陽エネルギー密度を検出および測定するように向けられ、前記光感知検出器のうちの少なくとも１つが、反射太陽エネルギー密度を検出および測定するように向けられる、請求項１に記載の装置。
【請求項３】
前記光感知検出器を連続的に動かすための手段をさらに備える、請求項１に記載の装置。
【請求項４】
前記光感知検出器を連続的に動かすための前記手段が、最大約３００度の部分円形経路、さらには全円形経路を通る揺動運動で前記検出器を動かす、請求項３に記載の装置。
【請求項５】
人間の対象者の１つ以上の肌特性を測定するための構成要素をさらに備え、前記人間の対象者の個人的な太陽曝露リスクレベルをさらに含む出力パラメータを計算および表示する、請求項１に記載の装置。
【請求項６】
前記１つ以上の肌特性が、肌の色、メラニン含有量、メラニン密度、肌の温度、および水分量から選択される、請求項５に記載の装置。
【請求項７】
前記出力パラメータが、前記人間の対象者に対する日焼け止め塗布の推奨をさらに含む、請求項５に記載の装置。
【請求項８】
日焼け止め製品を収容および提供するためのモジュールをさらに備える、請求項７に記載の装置。
【請求項９】
前記人間の対象者に関する前記出力パラメータに基づいて適切な日焼け止め製品を提供する、請求項８に記載の装置。
【請求項１０】
前記２つ以上の光感知検出器が動くことができる、請求項１に記載の装置。
【請求項１１】
前記２つ以上の光感知検出器が、太陽エネルギーを追尾するための自動化装置を使用して動くことができる、請求項１０に記載の装置。
【請求項１２】
前記表示モニタが、瞬間太陽曝露リスクをデジタル形式で数値として表示する、請求項１に記載の装置。
【請求項１３】
前記表示モニタが、瞬間太陽曝露リスクをデジタル形式で色分けされた値として表示する、請求項１に記載の装置。
【請求項１４】
取り付けポールをさらに備える、請求項１に記載の装置。
【請求項１５】
前記取り付けポールが取り付けられる基部をさらに備える、請求項２に記載の装置。
【請求項１６】
定置式である、請求項１５に記載の装置。
【請求項１７】
可搬式である、請求項１５に記載の装置。
【請求項１８】
前記装置が、前記瞬間太陽エネルギー密度に基づく、人間の肌の一般的な瞬間太陽曝露リスクを表示する、請求項１に記載の装置。
【請求項１９】
前記装置が、前記瞬間太陽エネルギー密度に基づく、人間の肌の個人的な瞬間太陽曝露リスクを表示する、請求項１に記載の装置。
【請求項２０】
請求項１に記載の装置を使用して、人間の肌の一般的な太陽曝露リスク指標を提供するための方法。
【請求項２１】
請求項１に記載の装置を使用して、人間の肌の個人的な太陽曝露リスク指標を提供するための方法。
【請求項２２】
請求項１に記載の装置を使用して、人間の肌の個人的な太陽曝露リスク指標を提供し、適切な量およびＳＰＦレベルの日焼け止め製品を提供するための方法。
【発明の詳細な説明】
【技術分野】
【０００１】
本発明は、局地リアルタイム紫外線（ＵＶ）放射警告システムと、簡単な日焼け防止教育用ガイドと、場合により個人用監視装置および日焼け止めディスペンサとの組み合わせである日焼け防止ディスプレイおよびディスペンサ装置に関する。
【背景技術】
【０００２】
日光への過度の曝露は有害であり、皮膚がんならびにしわおよび弾力性の喪失などの他のタイプの肌の損傷のリスクを高め得ることがよく知られている。しかしながら、多くの人は、直射日光および反射された日光に曝されて屋外でかなりの時間を過ごし、自らの曝露、ならびに特定の時間および場所で必要とされる必要なレベルのＵＶ防護に気づいていないことが多い。
【０００３】
米国環境保護庁（ＥＰＡ）は、世界保健機関によって確立されたＵＶ報告のための国際ガイドラインに準拠するＵＶ指標（ＵＶＩ）スケールを策定している。このスケールは、太陽曝露に関するＵＶ指標に対応する５つの色分けされたカテゴリに分割された１１＋ポイントまでのスケールである。
【０００４】
これらのレベルは次のとおりである。
ＵＶ指標が０〜２、または緑色を示す場合、平均的な人には太陽の紫外線による危険性が少ないことを意味する。
ＵＶ指標が３〜５、または黄色を示す場合、防護なしでの太陽曝露による被害のリスクが中程度であることを意味する。
ＵＶ指標が６〜７、または橙色を示す場合、防護なしでの太陽曝露による被害のリスクが高いことを意味する。肌および目の損傷に対する防護が必要である。
ＵＶ指標が８〜１０、または赤色を示す場合、防護なしでの太陽曝露による被害のリスクが非常に高いことを意味する。このレベルでは、防護なしの肌および目は損傷し、すぐに火傷する可能性があるため、特別な対策が必要である。
ＵＶ指標が１１以上、または紫色を示す場合、防護なしでの太陽曝露による被害のリスクが極端に高いことを意味する。このレベルでは、防護なしの肌および目は数分のうちに火傷する可能性があるため、あらゆる対策が必要である。
【０００５】
しかしながら、現在知られているＵＶ指標測定単位は、大気直射日光にのみ焦点を当てており、ＵＶ指標（ＵＶＩ）スケールと呼ばれる、世界的に受け入れられているが、よく知られていない、または理解されていない測定値で結果を表示する。ＵＶＩスケールは、動きの速い屋外の対象者（混雑した街を歩く通行人、公園で走っている人、ビーチ／プールに向かう家族など）には簡単かつ即座に解釈することはできない。
【０００６】
皮膚がんの発生率が上昇しているとき、この情報は、曝露の場所での日光への過剰曝露の目に見えない危険性についての公衆の認識を高め、さらに教育および予防的な安全ソリューション、つまり適切な日焼け止めを提供するのに役立つ。
【０００７】
日焼け防止に関する利用可能なリアルタイムの情報源は、個人からの積極的なアプローチが必要であるという意味で限られており、つまり、個人が、天気予報を聞いたり読んだり、スマートフォンアプリケーションをダウンロードしたり、精度または利用可能性が限られているウェアラブル装置を購入して使用したりする必要がある。加えて、予測ベースの技術は、地域全体に関して単一の測定点に基づくことが多く、または天気予報もしくはスマートフォンアプリなどの数学モデルに基づく予測として、所与の局地条件に対して必ずしも正確または適切であるとは限らず、実際の局地ＵＶ指標は、ＵＶ指標スケールで１単位またはさらには２単位で変化し得る。したがって、１ポイントの差は、個人のＵＶリスクが高いことを意味し得る。また、これらの予測モデルおよび個人用ＵＶセンサは、個別の場所での水、砂、コンクリート、雪などの様々な表面からのＵＶ光の反射を考慮または測定しない。反射されたＵＶ放射の影響は無視できず、直射大気ＵＶ放射の影響に加わり得る。
【０００８】
これらの限界に加えて、現在のシステムは、ユーザの肌タイプまたはＵＶ放射への曝露による損傷に対する感受性を考慮していない。人間の肌の色および肌タイプは、メラニンの含有量および分散に起因して、色および色素沈着の点で大きく異なる。よって、日光への曝露に対する感受性および耐性は、個人によって大きく異なり得る。上記の１１＋ポイントのＵＶＩスケールは、平均的な個人に一般化されており、個人の個別の日光への耐性を考慮していない。例えば、フィッツパトリックスケールは、人間の肌の色を数値で分類して、様々なタイプの肌のＵＶ光に対する反応を推定する。このスケールは、当初、肌および目の色に基づいて開発されたが、自らの肌が日光にどのように反応するかについての患者の報告に基づくように変更されており、人間の肌の色素沈着に関する皮膚科学的研究のための認められたツールであり続けている。フィッツパトリックスケールは、次の６つの肌タイプに分けられている。
タイプＩ（スコア０〜６）では、常に火傷するが、決して日焼けしない。
タイプＩＩ（スコア７〜１３）では、通常火傷し、日焼けは最小限である。
タイプＩＩＩ（スコア１４〜２０）では、時々軽度の火傷を負い、均一に日焼けする。
タイプＩＶ（スコア２１〜２７）では、火傷は最小限であり、常に日焼けする。
タイプＶ（スコア２８〜３４）では、極めてまれに火傷し、非常に日焼けしやすい。
タイプＶＩ（スコア３５〜３６）では、決して日焼けしない。
【０００９】
本発明の装置、システム、および方法の目的は、現在のＵＶ監視および報告技術に固有の課題を解決することである。本発明の装置、システム、および方法のさらなる目的は、個人の肌特性に基づいてＵＶ曝露リスク評価を提供するというさらなる課題を解決することである。
【００１０】
上記から、たとえたったの１０〜１５分であっても、人々が時間を過ごす任意の所与の公共／屋外の場所のために、局地で展開可能なリアルタイムの日焼け防止警告ソリューション装置を開発することが必要とされ続けていることは明らかである。正確で、理解しやすく、使用しやすく、場合により特定のユーザの肌タイプに合わせて調整された個人的なＵＶ指標を提供するシステムが必要とされている。さらに、現在の状況下でその場所のユーザに適切なレベルおよび量の日焼け止めを送達することもできるシステムが必要とされている。
【発明の概要】
【００１１】
驚くべきことに、肌の損傷（限定されないが、日焼け、初期の肌老化、皮膚がん（３種類すべて）、および目の損傷を含む）のリスクの可能性について、特定の分かりやすい数値を公衆に提示すると、個人は肌や目の損傷を防ぐために日焼け防止行動を起こす可能性が高くなることが判明した。
【００１２】
本発明は、局地リアルタイム紫外線（ＵＶ）放射警告システムと、簡単な日焼け防止教育用ガイドと、場合により個人用監視装置および日焼け止めディスペンサとの組み合わせである日焼け防止ディスプレイおよびディスペンサ装置に関する。
【図面の簡単な説明】
【００１３】
【図１】本発明の装置の一実施形態の構成要素のブロック図である。
【図２】本発明の装置の一実施形態のＵＶセンサの動作のフローチャートである。
【図３】本発明の装置の全動作のフローチャートである。
【図４】装置の構成要素を示す、本発明の装置の一実施形態の正面図である。
【図５】装置の構成要素を示す、本発明の装置の一実施形態の斜視図である。
【図６】装置の上部の内部の構成要素を示す、カバーが取り外された、本発明の装置の一実施形態の上部の背面図である。
【図７】屋外の場所で使用中の本発明の装置の一実施形態の白黒写真である。
【図８】屋外の場所で使用中の、日焼け止めディスペンサを備える本発明の装置の一実施形態の白黒写真である。
【発明を実施するための形態】
【００１４】
本発明は以下に関する。
１．（ａ）人間の対象者の近傍の場所で瞬間太陽エネルギー密度［単位（ｍＷ／ｃｍ２）］を測定するための２つ以上の光感知検出器と、
（ｂ）太陽曝露リスクを計算するためのコンピュータシステムであって、
（ｉ）コンピュータプロセッサと、
（ｉｉ）コンピュータ可読記憶デバイスと、
（ｉｉｉ）コンピュータプログラムと
を備える、コンピュータシステムと、
（ｃ）１つ以上の表示モニタと、
（ｄ）光感知検出器をコンピュータシステムに接続する１つ以上のインターフェースと、
（ｅ）２つ以上の光感知検出器を接続する１つ以上の任意選択的なインターフェースと、
（ｆ）コンピュータシステムを表示モニタに接続するインターフェースと
を備える、人間の肌の太陽曝露リスクを監視および表示するための装置であって、
装置が、瞬間太陽エネルギー密度に基く、人間の肌の瞬間太陽曝露リスクを表示する、装置。
【００１５】
２．光感知検出器のうちの少なくとも１つが、直射太陽エネルギー密度を検出および測定するように向けられ、光感知検出器のうちの少なくとも１つが、反射太陽エネルギー密度を検出および測定するように向けられる、請求項１に記載の装置。
【００１６】
３．光感知検出器を連続的に動かすための手段をさらに備える、請求項１に記載の装置。
【００１７】
４．光感知検出器を連続的に動かすための手段が、最大約３００度の部分円形経路、さらには全円形経路を通る揺動運動で検出器を動かす、請求項３に記載の装置。
【００１８】
５．人間の対象者の１つ以上の肌特性を測定するための構成要素をさらに備え、人間の対象者の個人的な（personalized）太陽曝露リスクレベルをさらに含む出力パラメータを計算および表示する、請求項１に記載の装置。
【００１９】
６．１つ以上の肌特性が、肌の色、メラニン含有量、メラニン密度、肌の温度、および水分量から選択される、請求項５に記載の装置。
【００２０】
７．出力パラメータが、人間の対象者に対する日焼け止め塗布の推奨をさらに含む、請求項５に記載の装置。
【００２１】
８．日焼け止め製品を収容および提供するためのモジュールをさらに備える、請求項７に記載の装置。
【００２２】
９．人間の対象者に関する出力パラメータに基づいて適切な日焼け止め製品を提供する、請求項８に記載の装置。
【００２３】
１０．２つ以上の光感知検出器が動くことができる、請求項１に記載の装置。
【００２４】
１１．２つ以上の光感知検出器が、太陽エネルギーを追尾するための自動化装置を使用して動くことができる、請求項１０に記載の装置。
【００２５】
１２．表示モニタが、瞬間太陽曝露リスクをデジタル形式で数値として表示する、請求項１に記載の装置。
【００２６】
１３．表示モニタが、瞬間太陽曝露リスクをデジタル形式で色分けされた値として表示する、請求項１に記載の装置。
【００２７】
１４．取り付けポールをさらに備える、請求項１に記載の装置。
【００２８】
１５．取り付けポールが取り付けられる基部をさらに備える、請求項２に記載の装置。
【００２９】
１６．定置式である、請求項１５に記載の装置。
【００３０】
１７．可搬式である、請求項１５に記載の装置。
【００３１】
１８．装置が、瞬間太陽エネルギー密度に基づく、人間の肌の一般的な（generalized）瞬間太陽曝露リスクを表示する、請求項１に記載の装置。
【００３２】
１９．装置が、瞬間太陽エネルギー密度に基づく、人間の肌の個人的な瞬間太陽曝露リスクを表示する、請求項１に記載の装置。
【００３３】
２０．請求項１に記載の装置を使用して、人間の肌の一般的な太陽曝露リスク指標を提供するための方法。
【００３４】
２１．請求項１に記載の装置を使用して、人間の肌の個人的な太陽曝露リスク指標を提供するための方法。
【００３５】
２２．請求項１に記載の装置を使用して、人間の肌の個人的な太陽曝露リスク指標を提供し、適切な量およびＳＰＦレベルの日焼け止め製品を提供するための方法。
【００３６】
本発明のこれらおよび他の態様は、本明細書の開示から明らかになるはずである。
【００３７】
日焼け防止ディスプレイおよびディスペンサ装置
一実施形態では、本発明の太陽日焼け防止ディスプレイおよびディスペンサ装置は、
（ｉ）静止構成または回転構成の２つ以上のセンサから取得された直射日光と周囲表面からの反射ＵＶ光との組み合わせからのリアルタイム局地ＵＶ放射測定に基づく、日光強度指標などの日焼け防止意識指標の形態での理解しやすい日焼け防止警告と、
（ｉｉ）最適な紫外線防御指数（ＳＰＦ）の日焼け止めを決定するための個人的な日焼け防止意識指標の表示と、
（ｉｉｉ）日焼け防止意識指標によって表される危険性に関する教育および日光への過度の曝露に関する一般的な情報と、
（ｉｖ）適切なＳＰＦの日焼け止めの提供と
を提供するように設計される。
【００３８】
一実施形態では、本発明の太陽防止およびディスプレイディスペンサ装置は、
（ｉ）カスタムメイドのＵＶセンサ（独自の配列、動き、および視野）と、
（ｉｉ）日焼け防止意識指標を計算するためのアルゴリズムを用いるカスタム回路と、
（ｉｉｉ）日焼け防止意識指標を示す電子リアルタイムディスプレイと、
（ｉｖ）据え付けの、または電子的な日焼け防止教育用ボードと、
（ｖ）個人的な日焼け防止意識指標を決定するための肌スキャナと、
（ｖｉ）ソーラーパネル電源を備える、またはソーラーパネル電源を持たない充電式バッテリと、
（ｖｉｉ）単独の、または個人用監視センサと一体にされた日焼け止めディスペンサと、
（ｖｉｉｉ）最大１５０ｍｐｈのハリケーンの風および−２５°Ｃ〜１５０°Ｃの範囲の熱温度に耐えるように設計された金属製基部構造と
の組み合わせである。
【００３９】
図１は、本発明の装置の一実施形態の構成要素のブロック図を示している。装置は、ＡＣ入力と、装置を稼働させるためのエネルギーを供給するための１つ以上のソーラーパネルと、充電器およびバッテリを備えるハイブリッド電源とを備えることが分かる。電源は、主集積回路基板および他の構成要素に直流を供給する。主集積回路基板への入力は、周囲光センサと、直射光および反射光を検出するための１つ以上の、しかし好ましくは２つ以上のＵＶ（ＵＶＡ／ＵＶＢ）検出器と、肌の色または色調、肌の水分、肌の温度などの様々な肌パラメータを測定するためのセンサとを含む。主集積回路基板からの出力は、一般的な日焼け防止意識指標ディスプレイと、ＵＶ指標インジケータディスプレイと、個人用日焼け防止意識指標ディスプレイと、適切なＳＰＦレベルの日焼け止め製品を提供するための個人用日焼け止めディスペンサと、低バッテリＬＥＤインジケータとを含む。
【００４０】
図２は、本発明の装置の一実施形態のＵＶセンサの動作のフローチャートを示している。ＵＶセンサは、直射ＵＶ放射および反射ＵＶ放射の両方を検出するために様々な方向に動かされ得る。
【００４１】
図３は、本発明の装置の全動作のフローチャートを示している。装置のコア機能は、フローチャートの左側に示されている。本発明の代替的な実施形態によるオプション機能は、フローチャートの右側に示されている。これらの代替的な実施形態は、肌色スキャナと日焼け止めディスペンサとを備え得る。
【００４２】
図４は、装置の構成要素を示す、本発明の装置の一実施形態の正面図である。示されているのは、ディスプレイ部品を取り付けるために使用される亜鉛メッキ鋼製ポールなどのポール１と、日焼け防止情報を伝達するために使用される情報ボード５と、適切なＳＰＦ値の日焼け止め製品を提供するためのディスペンサ６と、一般的な日焼け防止意識指標を示すために使用される、完成品の数字パネルメータ１４を備えた、正面から見たヘッドユニットと、ＵＶ指標をスケールで示すために使用され、場合によりＵＶ放射の強度に基づいて光の点滅が増加するカラーＬＥＤまたは他のデジタルもしくは電気機械的構造１６と、１つ以上のＵＶＡ／ＵＶＢセンサ（複数可）と回転モータ、モータコントローラ基板、磁気アーム、およびＵＶセンサホルダアームから構成される上記センサの回転エンジンとを備え、ＵＶセンサ（複数可）の制御された回転を可能にするために使用されるＵＶセンサクラスタ１３とである。
【００４３】
図５は、装置の構成要素を示す、本発明の装置の一実施形態の斜視図である。示されているのは、ポール１にボルトで締めて固定するための木製または金属製の基部などの基部３と、安全上の理由からセキュリティのために重量および安定性を加えるために構築されたコンクリートブロック４または他のウェイトと、構成要素および電子ハードウェアを安全かつ防水された状態で収容するように構築されたヘッドユニットボックス１９と、１つ以上のバッテリおよび浮動充電器を安全かつ防水されたセッティングで保持するためのバッテリボックス２１と、１つ以上のＵＶＡ／ＵＶＢセンサ（複数可）と回転モータ、モータコントローラ基板、磁気アーム、およびＵＶセンサホルダアームから構成される上記センサの回転エンジンとを備え、ＵＶセンサ（複数可）の制御された回転を可能にするために使用されるＵＶセンサクラスタ１３とである。
【００４４】
図６は、装置の上部／ヘッドユニットの内部の構成要素を示す、カバーが取り外された、本発明の装置の一実施形態の上部の背面図である。示されているのは、「人工ヒマワリ」として知られ、回転モータに取り付けられ、すべての方向からの読み値を捕捉するために回転しながらＵＶ指標を読み取るＵＶセンサクラスタおよびホルダ１３と、フルディスプレイユニットの動作をプログラミングおよび実行するための一体のプロセッサ７を備えた回路基板と、日焼け防止意識指標を示すために使用される完成品の数字パネルメータ１４と、ＵＶ検出器が回転しきったときにそれ以上動かないように制御するために位置または回転を感知するために使用されるヘッドアセンブリ磁気センサおよび基板１２と、ＵＶ指標をスケールで示すために使用され、場合によりＵＶ放射の強度に基づいて光の点滅が増加するカラーＬＥＤまたは他のデジタルもしくは電気機械的構造１６とである。
【００４５】
例
以下の例は、本発明の範囲内の実施形態をさらに説明および実証する。例は、例示のみを目的として与えられるものであり、本発明の趣旨および範囲から逸脱することなくその多くの変形が可能であるため、本発明を限定するものとして解釈されるべきではない。
【００４６】
例１：ＳＯＬａｗａｒｅ（商標）日焼け防止ディスプレイおよびディスペンサ装置
図７の装置ＳＯＬａｗａｒｅ（商標）日焼け防止ディスプレイおよびディスペンサ装置は、晴れた日に海岸のそばに設置されて、消費者が自身の日光への曝露を監視し、肌に塗布するための１回分の外用日焼け止め製品を提供できるようにして、消費者にカスタマイズされた日焼け止め提供している。
【００４７】
図８の例は、ＳＯＬａｗａｒｅ（商標）日焼け防止ディスプレイおよびディスペンサ装置が、肌の火傷およびまたは潜在的な損傷までの時間を消費者に警告し、ユーザが手動または自動で適切なＳＰＦの日焼け止めを決定するのを助ける一般用ＳＯＬａｗａｒｅＩｎｄｅｘ（商標）を提供し、一般に、またはユーザの個人用ＳＯＬａｗａｒｅＩｎｄｅｘ（商標）と相関する個別のＳＰＦで日焼け止めを提供するのに役立つことを示している。
【００４８】
参照による援用
補正証明書、特許出願文書、科学論文、政府報告書、ウェブサイト、および本明細書で参照される他の参考文献を含む、特許文書のそれぞれのすべての開示は、その全体があらゆる目的のために参照により本明細書に援用される。用語が矛盾する場合は、本明細書が優先される。
【００４９】
均等物
本発明は、その趣旨または本質的な特徴から逸脱することなく、他の特定の形態で具現化され得る。上述の実施形態は、本明細書に記載された本発明を限定するものではなく、すべての点で例示的であると見なされるべきである。本発明の方法およびシステムの様々な実施形態において、「備える（ｃｏｍｐｒｉｓｅｓ）」という用語が、記載された方法のステップまたは組成物の成分に関連して使用される場合、方法および組成物は、記載されたステップまたは成分から本質的に構成される、または構成されることも企図されている。さらに、本発明が動作可能である限り、ステップの順序または特定のアクションを実行するための順序は重要ではないことを理解されたい。さらに、２つ以上のステップまたはアクションを同時に実行することもできる。
【００５０】
本明細書では、文脈上明確に別段の指定のない限り、単数形は複数形も含む。別段の定義のない限り、本明細書で使用されるすべての技術用語および科学用語は、本発明が属する技術分野の当業者によって一般に理解されるのと同じ意味を有する。矛盾が生じた場合は、本明細書が優先される。
【００５１】
さらに、混合の際には、特定の成分がさらに反応したり、さらなる材料に変換されたりし得るため、特定の場合、組成物は、混合前の成分から構成されると説明され得ることを認識されたい。
【００５２】
本明細書で使用されるすべてのパーセンテージおよび比率は、別段の指示のない限り、重量によるものである。
【図１】
2021519420.tif 000003
【図２】
2021519420.tif 000004
【図３】
2021519420.tif 000005
【図４】
2021519420.tif 000006
【図５】
2021519420.tif 000007
【図６】
2021519420.tif 000008
【図７】
2021519420.tif 000009
【図８】
2021519420.tif 000010
【国際調査報告】
2021519420.tif 000011
2021519420.tif 000012